(57)【特許請求の範囲】
【請求項１】
ポンプの吸水口に連結された吸込ホースの先端部に、先端側が拡開された呼び水すくい部が設けられてなることを特徴とする液体ポンプ。
【請求項２】
前記先端側が拡開された呼び水すくい部が、筒状カバーであることを特徴とする請求項１に記載の液体ポンプ。
【請求項３】
前記先端側が拡開された呼び水すくい部が、半円形筒状カバーであることを特徴とする請求項１に記載の液体ポンプ。
【請求項４】
前記先端側が拡開された呼び水すくい部が、吸込ホースの先端部に対して着脱自在であることを特徴とする請求項１、２又は３に記載の液体ポンプ。
【発明の詳細な説明】
【０００１】
【発明の属する技術分野】
本発明は、揚水、排水、送水等（以下、単に「送水等」という。）の作業開始時の呼び水の供給を容易にした液体ポンプに関する。
【０００２】
【従来の技術】
送水等の作業時に使用する液体ポンプＰは、例えば、図４に示されているように、該本体１の一側面適位置に吸水口２が設けられ、該吸水口２に適宜な長さを有する吸込ホース３が連結され、該吸込ホース３の先端部３ａにストレーナ４が取り付けられている。
【０００３】
さらに、該本体１の上部適位置に吐出口５が設けられ、該吐出口５に継ぎ手６を介して吐出ホース７が連結されている。
【０００４】
また、前記本体１の内部には、図示していないが、ポンプ及びその駆動部等が設けられている。図中、８は流量調整つまみ、９は把手、１０は電源コードである。
【０００５】
前記のように構成される液体ポンプＰでは、その送水等の作業開始に先立って本体１内部の図示しないポンプに呼び水を供給する必要がある。従来前記本体１内部のポンプへの呼び水の供給は、例えば、前記吐出ホース７を本体１部から一旦取り外し、前記吐出口５から本体１内部のポンプに呼び水を注ぎ込む方法等で行われている。
【０００６】
【発明が解決しようとする課題】
前記本体１内部の図示しないポンプに呼び水を供給せずに運転を開始した場合には、内部に設けられたポンプの軸封装置等が異常に発熱摩耗させられる等、故障の原因となる。
【０００７】
本発明は、前記事情に鑑みてなされたもので、送水等の作業に先立って前記本体１内部のポンプへの呼び水の供給を手数を要さず簡単確実に行うことができる液体ポンプを提供することを目的とする。
【０００８】
【問題を解決するための手段】
前記課題を解決するため、本発明は、ポンプの吸水口に連結された吸込ホースの先端部に、先端側が拡開された呼び水すくい部を設けた構成としたものであり、好ましくは、前記先端側が拡開された呼び水すくい部が、筒状カバーとされ、さらには先端側が拡開された半円形筒状カバーに構成したものである。さらに好ましくは、前記先端側が拡開された呼び水すくい部が吸込ホースの先端部に対して着脱自在に構成したものである。
【０００９】
【発明の実施の形態】
以下、本発明の実施の一形態を図面に基づいて説明する。図１は本発明に係る液体ポンプの斜視図、図２は先端側が拡開された呼び水すくい部の他の実施の一形態を示す斜視図、図３は先端側が拡開された呼び水すくい部のさらに他の実施の一形態を示す斜視図、図４は液体ポンプの一例を示す一部を分解した斜視図である。
【００１０】
本発明に係る液体ポンプＰは、図１に示されているように、該本体１の吸水口に連結された吸込ホース３の先端部３ａに、樋状で、先端側が拡開された呼び水すくい部１１が設けられる。すなわち、前記先端部が拡開された呼び水すくい部１１は、必要とする量の呼び水を一回あるいは数回ですくうことができるように樋状に構成され、集水を容易とするためその先端側が拡開されている。
【００１１】
図２には、前記先端側が拡開された呼び水すくい部１１の他の実施の一形態が示されている。図２に示された実施の一形態においては、その先端側が略円形状に拡開された筒状カバー１１ａに構成されている。そして、順次狭められた後端部略中央に前記吸込ホース３の先端部３ａが連結される。なお、ストレーナ４は前記筒状カバー１１ａに内蔵状態とされる。
【００１２】
また、前記吸込ホース３の先端部３ａに対する前記筒状カバー１１ａの取り付けは、例えば、該筒状カバー１１ａの後端開口部を伸縮自在の素材で構成する等、適宜の方法で行うことができる。
【００１３】
さらに、前記筒状カバー１１ａは、前記吸込ホース３の先端部３ａに必ずしも固定する必要はなく着脱自在としてもよい。かように筒状カバー１１ａを吸込ホ−スに対して着脱自在に構成すると、梱包及び格納時における製品の取扱いが容易となる。
【００１４】
図３には、前記先端側が拡開された呼び水すくい部１１のさらに他の実施の一形態が示されている。この実施の一形態においては、その先端側を半円形状に拡開して直線部分１１ｃを形成したものであり、その他は前述した筒状カバー１１ａと同様である。
【００１５】
前記図３に示す構成にすることにより、前記先端側が拡開された呼び水すくい部１１ですくう呼び水の水深が浅い場合であっても、前記直線部分１１ｃを水につけてすくい持ち上げれば、より効率的に呼び水をすくい上げることができる。
【００１６】
前記構成の液体ポンプＰによれば、送水等の作業開始に先立って本体１内部のポンプへの呼び水の供給を手数を要さず簡単且つ確実に行うことができる。
【００１７】
すなわち、送水等の作業に先立って吸込ホース３の先端部３ａに設けられた前記先端側が拡開された呼び水すくい部１１で水をすくい、上方に持ち上げればよく、図２に示された略円形状に先端側が拡開された筒状カバー１１ａの場合も同様に、該筒状カバー１１ａを一旦水中に沈めた後、その先端開口部を上方に向けつつ上方に持ち上げれば、前記筒状カバー１１ａ内にすくわれた水が、前記ストレーナ４から前記吸込ホース３及び吸水口２を介してポンプ本体１内の図示しないポンプへ呼び水として供給される。
【００１８】
また、前記先端側が拡開された呼び水すくい部１１を図３に示されているように、その先端側が拡開された半円形筒状カバー１１ｂに構成して直線部分１１ｃを形成した場合には、すくう呼び水の水深が浅い場合であっても、前記直線部分１１ｃを水につけて効率よく水をすくうことができる。
【００１９】
なお、前記のごとくして、ポンプに呼び水の供給を完了した後のポンプ駆動時及び送水等の作業時には、前記先端側が拡開された呼び水すくい部１１，１１ａ，１１ｂを吸込ホース３から取り外す必要はなく、そのまま水中に沈めておけばよい。
【００２０】
【発明の効果】
本発明の液体ポンプによれば、送水等の作業に先立って本体内部のポンプへの呼び水の供給を、吸込ホースの先端部に設けられた先端側が拡開された呼び水すくい部によって手数を要さずに簡単且つ確実に行うことができる。
【図面の簡単な説明】
【図１】  本発明に係る液体ポンプの斜視図である。
【図２】  先端側が拡開された呼び水すくい部の他の実施の一形態を示す斜視図である。
【図３】  先端側が拡開された呼び水すくい部のさらに他の実施の一形態を示す斜視図である。
【図４】  液体ポンプの一例を示す一部を分解した斜視図である。
【符号の説明】
１    液体ポンプ
２    吸込口
３    吸込ホース
３ａ  先端部
４    ストレーナ
１１  先端側が拡開された呼び水すくい部
【図１】
0004521680.tif 000002
【図２】
0004521680.tif 000003
【図３】
0004521680.tif 000004
【図４】
0004521680.tif 000005